(57)【要約】      （修正有）【課題】ファクシミリ兼用電話機の上部に設置し、ファクシミリ用紙又はコピー用紙を収納するカバーを提供する。【解決手段】（イ）ファクシミリ用紙又はコピー用紙カバー（３）の前面にワク（４）を取り付けその上に透明板（５）を固定する。上方開口部（６）と側方開口部（７）は開口にし仕切る時には、横棒（８）を挿入し横棒止め（９）に設置する。（ロ）ファクシミリ用紙又はコピー用紙カバー（３）の前面に板状体保持ワク（１０）を取り付け、上方開口部（６）を開口にした。（ハ）ファクシミリ用紙又はコピー用紙カバー（３）の前面に板状体保持ワク（１０）を取り付け、側方開口部（７）を開口にした。【選択図】図１
0003116790.tif 000002
【実用新案登録請求の範囲】
【請求項１】
ファクシミリ兼用電話機（１）のファクシミリ用紙又はコピー用紙挿入口
（２）の上部に設置する、ファクシミリ用紙又はコピー用紙カバー（３）の前面にワク（４）を取り付け、ワクの上に透明板（５）を固定する。ワクの上方開口部（６）と側方開口部（７）は開口にして、前記ワクの左右に横棒止め（９）を付け、横棒（８）をワクの側部から挿入し横棒止め（９）に設置できるようにした。ファクシミリ用紙又はコピー用紙の収納箱。
【請求項２】
ファクシミリ用紙又はコピー用紙カバー（３）の前面に板状体保持ワク（１０）を取り付け、前記ワクの上方開口部（６）は開口にして、上部から板状体を挿入できるようにした。ファクシミリ用紙又はコピー用紙の収納箱。
【請求項３】
ファクシミリ用紙又はコピー用紙カバー（３）の前面に、板状体保持ワク
（１０）を取り付け、前記ワクの側方開口部（７）は開口にして、側部から板状体を挿入できるようにした。ファクシミリ用紙又はコピー用紙の収納箱。
【考案の詳細な説明】
【技術分野】
【０００１】
この考案は、ファクシミリ用紙又はコピー用紙カバーの前面にワクを作り固定して、ワクの上に透明板を取り付け、ワクの一部に開口部をつけたり、又用紙カバーの前面に板状体保持ワクを固定して板状体を挿入できるようにしたファクシミリ用紙又はコピー用紙の収納箱に関するものである。
【背景技術】
【０００２】
従来、ファクシミリ兼用電話機のファクシミリ用紙又はコピー用紙挿入口の上部に用紙カバーがあった。
【特許文献１】実開平６−５４３５１
【考案の開示】
【考案が解決しようとする課題】
【０００３】
この考案は、ファクシミリ兼用電話機周辺のせまい空間を有効利用するため前記電話機の用紙挿入口に設置する、ファクシミリ用紙又はコピー用紙の収納箱を開発しようとするものである。
【課題を解決するための手段】
【０００４】
これを図面によって説明すれば
（イ）ファクシミリ用紙又はコピー用紙カバー（３）の前面にワク（４）を作り固定して透明板（５）をのせて固定する。上方開口部（６）と側方開口部（７）は開口にする。
（ロ）横棒止め（９）をワク（４）の左右につける。
（ハ）ファクシミリ用紙又はコピー用紙カバー（３）の前面に、板状体保持ワク
（１０）を作り上方開口部（６）を開口にした。
（二）ファクシミリ用紙又はコピーカバー（３）の前面に、板状体保持ワク（１０）を作り側方開口部（７）を開口にした。
【考案の効果】
【０００５】
ファクシミリ兼用電話機（最新の機器はコピー機能も有する）を室内に置く場合は電話代等の台にのせる場合が多い。この台は、室内で特定な場所を占めてしまうし、台上にはメモ用紙、写真たて、予定記入のためのホワイトボードなどを置く事が多い。したがって台の上の空間は貴重である。ファクシミリ又はコピー用紙カバーの占める空間は、本考案により、メモや写真入れ、予定表ボード入れに使用などさまざまに利用できる。
【考案を実施するための最良の形態】
【０００６】
本案の実施の形態について説明する。
（イ）ファクシミリ用紙又はコピー用紙の収納箱へ風景写真等大きめの写真等を入れたいときは、図１の横棒（８）を使用しない状態で、透明板の下へ上方開口部（６）又は側方開口部（７）より挿入する。
家族写真等、小型の写真などを入れるときは、横棒（８）を挿入して、上下の面に仕切り、上下それぞれを使用する。
（ロ）板状体を入れるときは、図３の上方開口部（６）又は図４の側方開口部（７）から挿入し、板状体保持ワク（１０）で保持して使用する。
（ハ）ファクシミリ用紙又はコピー用紙カバーに、少しの湾曲がある場合は、透明板（５）や板状体の薄手のものを使用すれば、これに対応できる。
（ニ）ファクシミリ用紙又はコピー用紙カバーの正面に取り付けるワクの左右につける横棒止め（９）の突起などは、上下にそれぞれずらしてつければ横棒（８）により上下になる面を適当な大きさに仕切れる。
（ホ）ファクシミリ又はコピー用紙カバーの前面に固定するワク（４）を透明板（５）が取りはづし可能なように、透明板を挿入できるミゾや透明板を止める止の具を設置したワクを使用すれば、前記ワクは透明板をはずした時は板状体入れのワクにも兼用できる。
（へ）板状体で、マグネットが使用できる板状体を使用すればメモ用紙や行事表などの表示止め板としても使用できる。
（ト）ファクシミリ用紙又はコピー用紙収納箱は、ファクシミリ専用の用紙やコピー専用の用紙だけではなく、ファクシミリ用紙とコピー用紙とを兼用する用紙にも使用できる。
【図面の簡単な説明】
【０００７】
【図１】本考案の請求項１の形態を示す斜視図である。
【図２】本考案の実施の形態を示す斜視図である。
【図３】本考案の請求項２の形態を示す斜視図である。
【図４】本考案の請求項３の形態を示す斜視図である。
【符号の説明】
【０００８】
１  ファクシミリ兼用電話機  ２  ファクシミリ用紙又はコピー用紙挿入口
３  ファクシミリ用紙又はコピー用紙カバー  ４  ワク  ５  透明板
６  上方開口部  ７  側方開口部  ８  横棒  ９  横棒止め  
１０  板状体保持ワク
【図１】
0003116790.tif 000003
【図２】
0003116790.tif 000004
【図３】
0003116790.tif 000005
【図４】
0003116790.tif 000006
【手続補正書】
【提出日】平成17年9月21日(2005.9.21)
【手続補正１】
【補正対象書類名】実用新案登録請求の範囲
【補正対象項目名】全文
【補正方法】変更
【補正の内容】
【実用新案登録請求の範囲】
【請求項１】
ファクシミリ用紙又はコピー用紙を給送できる用紙給送装置を備えたファクシミリ兼用電話機におけるファクシミリ用紙又はコピー用紙の収納箱において、
ファクシミリ用紙又はコピー用紙挿入口（２）の上部に設置された用紙カバー（３）と、
前記用紙カバー（３）の前面に取り付けられ、上方開口部（６）と側方開口部（７）が成形されているワク（４）と、
前記ワク（４）の上に固定された透明板（５）と、
前記ワク（４）の側部から挿入した横棒を止める横棒止め（９）と、
を備えていることを特徴とするファクシミリ兼用電話機におけるファクシミリ用紙又はコピー用紙の収納箱。
【請求項２】
前記用紙カバー（３）の前面には、上部から板状体を挿入できる上方開口部（６）を有する板状体保持ワク（１０）が取り付けられていることを特徴とする請求項１記載のファクシミリ兼用電話機におけるファクシミリ用紙又はコピー用紙の収納箱。
【請求項３】
前記用紙カバー（３）の前面には、側部から板状体を挿入できる側部開口部（７）を有する板状体保持ワク（１０）が取り付けられていることを特徴とする請求項２記載のファクシミリ兼用電話機におけるファクシミリ用紙又はコピー用紙の収納箱。
【手続補正２】
【補正対象書類名】明細書
【補正対象項目名】全文
【補正方法】変更
【補正の内容】
【考案の詳細な説明】
【技術分野】
【０００１】
この考案は、ファクシミリ用紙又はコピー用紙カバーの前面にワクを作り固定して、ワクの上に透明板を取り付け、ワクの一部に開口部をつけたり、また用紙カバーの前面に板状体保持ワクを固定して板状体を挿入できるようにしたファクシミリ用紙又はコピー用紙の収納箱に関するものである。
【背景技術】
【０００２】
従来、ファクシミリ兼用電話機のファクシミリ用紙又はコピー用紙の挿入口の上部に用紙カバーがあった。
【特許文献１】実開平６−５４３５１号公報
【考案の開示】
【考案が解決しようとする課題】
【０００３】
この考案は、ファクシミリ兼用電話機周辺のせまい空間を有効利用するため前記電話機の用紙挿入口に設置する、ファクシミリ用紙又はコピー用紙の収納箱を開発しようとするものである。
【課題を解決するための手段】
【０００４】
（第１考案）
第１考案のファクシミリ兼用電話機におけるファクシミリ用紙又はコピー用紙の収納箱は、ファクシミリ用紙又はコピー用紙を給送できる用紙給送装置を備えており、ファクシミリ用紙又はコピー用紙挿入口（２）の上部に設置された用紙カバー（３）と、前記用紙カバー（３）の前面に取り付けられ、上方開口部（６）と側方開口部（７）が成形されているワク（４）と、前記ワク（４）の上に固定された透明板（５）と、前記ワク（４）の側部から挿入した横棒を止める横棒止め（９）とを備えていることを特徴とする。
【０００５】
（第２考案）
第２考案のファクシミリ兼用電話機におけるファクシミリ用紙又はコピー用紙の収納箱は、第１考案の用紙カバー（３）の前面に上部から板状体を挿入できる上方開口部（６）を有する板状体保持ワク（１０）が取り付けられていることを特徴とする。
【０００６】
（第３考案）
第３考案のファクシミリ兼用電話機におけるファクシミリ用紙又はコピー用紙の収納箱は、第２考案の用紙カバー（３）の前面に側部から板状体を挿入できる側部開口部（７）を有する板状体保持ワク（１０）が取り付けられていることを特徴とする。
【考案の効果】
【０００７】
ファクシミリ兼用電話機（最新の機器はコピー機能も有する）は、室内に置く場合、電話台等の上にのせる場合が多い。この台は、室内で特定な場所を占めてしまうし、台上に、メモ用紙、写真たて、予定記入のためのホワイトボードなどを置く事が多い。したがって、台の上の空間は貴重である。本考案によれば、ファクシミリ用紙又はコピー用紙カバーの前面を占める空間は、メモや写真入れ、予定表ボード入れとしてさまざまに利用できる。
【考案を実施するための最良の形態】
【０００８】
本案の実施の形態について説明する。
（イ）ファクシミリ用紙又はコピー用紙の収納箱へ風景写真等大きめの写真等を入れたいときは、図１の横棒（８）を使用しない状態で、透明板の下へ上方開口部（６）又は側方開口部（７）より挿入する。家族写真等、小型の写真などを入れるときは、横棒（８）を挿入して、上下の面に仕切り、上下それぞれの空間を別々に使用する。
（ロ）板状体を入れるときは、図３の上方開口部（６）又は図４の側方開口部（７）から挿入し、板状体保持ワク（１０）で保持して使用する。
（ハ）ファクシミリ用紙又はコピー用紙カバーに、少しの湾曲がある場合は、透明板（５）や板状体の薄手のものを使用すれば、これに対応できる。
（ニ）ファクシミリ用紙又はコピー用紙カバーの正面に取り付けるワクの左右につける横棒止め（９）の突起などは、上下にそれぞれずらしてつければ横棒（８）により上下になる面を適当な大きさに仕切れる。
（ホ）ファクシミリ又はコピー用紙カバーの前面に固定するワク（４）を透明板（５）が取りはづし可能なように、透明板を挿入できるミゾや透明板を止める止の具を設置したワクを使用すれば、前記ワクは透明板をはずした時は板状体入れのワクにも兼用できる。
（ヘ）板状体で、マグネットが使用できる板状体を使用すればメモ用紙や行事表などの表示止め板として使用できる。
（ト）ファクシミリ用紙又はコピー用紙の収納箱は、ファクシミリ専用の用紙やコピー専用の用紙だけでなく、ファクシミリ用紙とコピー用紙を兼用する用紙にも使用できる。
【図面の簡単な説明】
【０００９】
【図１】本考案の請求項１の形態を示す斜視図である。
【図２】本考案の実施の形態を示す斜視図である。
【図３】本考案の請求項２の形態を示す斜視図である。
【図４】本考案の請求項３の形態を示す斜視図である。
【符号の説明】
【００１０】
１  ファクシミリ兼用電話機
２  ファクシミリ用紙又はコピー用紙挿入口
３  ファクシミリ用紙又はコピー用紙カバー
４  ワク
５  透明板
６  上方開口部
７  側方開口部
８  横棒
９  横棒止め
１０  板状体保持ワク